(57)【要約】【課題】複数の者が１つの装置を共同で使用するような場合でも、送信者に特別の負担を強いることなく画像情報を送信者別に記憶して管理することのできる画像送信装置を得ること。【解決手段】画像送信装置としてのファクシミリ装置１０１は送信を開始するスタートボタン１０８に指紋センサ１２１を配置しており、送信時やコピー開始に操作者を特定し、大容量記憶装置１６２内のその者に割り当てられたファイル領域に送信に係わる画像情報を格納するようにしている。したがって、例えば送信済みの画像情報を必要により取り出すとき、操作者（送信者）の情報をキーとして簡単に取り出すことができる。【選択図】  図４
2004282144.tif 000002
【特許請求の範囲】
【請求項１】
画像情報を送信する画像情報送信手段と、
送信者のそれぞれに対応して送信の対象となる画像情報の格納領域を割り当てた画像情報記憶手段と、
前記画像情報送信手段によって画像情報を送信する者を識別する送信者識別手段と、
この送信者識別手段によって識別された送信者が画像情報を送信したときこの画像情報を前記画像情報記憶手段における該当する送信者の領域に格納する画像情報格納手段
とを具備することを特徴とする画像送信装置。
【請求項２】
画像情報を送信する画像情報送信手段と、
画像情報を記憶する画像情報記憶手段と、
前記画像情報送信手段によって画像情報を送信する者を識別する送信者識別手段と、
前記画像情報送信手段によって画像情報が送信されたときこの画像情報を格納するファイルのファイル名の少なくとも一部に前記送信者識別手段によって識別された識別情報を付加して前記画像情報記憶手段に格納する画像情報格納手段
とを具備することを特徴とする画像送信装置。
【請求項３】
原稿の画像情報を読み取る画像情報読取手段と、
送信者のそれぞれに対応して送信の対象となる画像情報の格納領域を割り当てた画像情報記憶手段と、
画像情報を送信する者を識別する送信者識別手段と、
この送信者識別手段によって識別された送信者が予め送信を許可されたものであるか否かを判別する送信許可判別手段と、
この送信許可判別手段によって送信を許可されたものであると判別されたとき前記画像情報読取手段によって読み取られた画像情報を送信する画像情報送信手段と、
前記送信者識別手段によって識別された送信者が画像情報を送信したときこの画像情報を前記画像情報記憶手段における該当する送信者の領域に格納する画像情報格納手段
とを具備することを特徴とする画像送信装置。
【請求項４】
原稿の画像情報を読み取る画像情報読取手段と、
画像情報を記憶する画像情報記憶手段と、
画像情報を送信する者を識別する送信者識別手段と、
この送信者識別手段によって識別された送信者が予め送信を許可されたものであるか否かを判別する送信許可判別手段と、
この送信許可判別手段によって送信を許可されたものであると判別されたとき前記画像情報読取手段によって読み取られた画像情報を送信する画像情報送信手段と、
この画像情報送信手段によって画像情報が送信されたときこの画像情報を格納するファイルのファイル名の少なくとも一部に前記送信者識別手段によって識別された識別情報を付加して前記画像情報記憶手段に格納する画像情報格納手段
とを具備することを特徴とする画像送信装置。
【請求項５】
前記送信者識別手段は指紋等の送信者の身体的特徴、送信者が所持する固有のカードあるいは送信者がログイン時に入力する固有の情報によって送信者を識別することを特徴とする請求項１〜請求項４いずれかに記載の画像送信装置。
【請求項６】
前記画像情報格納手段は画像情報の一部を格納することを特徴とする請求項１〜請求項４いずれかに記載の画像送信装置。
【発明の詳細な説明】
【０００１】
【発明の属する技術分野】
本発明はファクシミリ装置あるいはファイル転送機能を有するコンピュータのように画像を所定の宛先に送信する情報処理装置としての画像送信装置に係わり、特に１つの情報処理装置を複数の者が共同使用したりその可能性がある場合に好適な画像送信装置に関する。
【０００２】
【従来の技術】
ファクシミリ装置は原稿を読み取ってその画像情報を電気信号の形で宛先に送信するようになっている。また、回線に接続されたコンピュータも、各種の画像情報を同じく電気信号の形で宛先のコンピュータやファクシミリ装置あるいは携帯型電話機等の情報端末に送信することができる。このように各種の画像送信装置では、画像情報を電気信号に変換して送信を行うので、装置内部に十分な記憶容量がある場合、送信した画像情報自体を保存しておいて、各種用途に供することが可能である。
【０００３】
そこでコンピュータにファクシミリ装置を接続して、宛先に送信した画像情報を宛先情報、通信管理番号、通信時刻といった情報と共に所定のフォルダに自動的に格納するようにした提案が行われている（たとえば特許文献１）。
【０００４】
【特許文献１】
特開平１１−１４６１６６号公報（第００３１段落、図２）
【０００５】
【発明が解決しようとする課題】
ファクシミリ装置等の画像送信装置が特定の個人の専用の装置として使用されている場合、このように送信した画像情報を磁気ディスク等の記憶装置に自動的に格納するようにしておけば、その者がこれを自由に使用することができる。ところが複数の者が画像送信装置を共同使用している場合には、記憶している多くのファイルの中から自分の送信した画像情報のファイルを見つけ出すことは時間を要し、また煩雑である。
【０００６】
そこで宛先や送信日時をキーワードとして該当するファイルを探し出すようにした提案が行われている。しかしながら、複数の者が共同で使用する画像送信装置の場合には、これらのキーワードで検索したファイルが必ずしも自分の送信したものであるとは限らない。したがって、該当するファイルが複数存在する場合にはそれぞれのファイルの中身をチェックする必要があり、結果的に他人の送信したファイルを開けてみて画像情報の内容を点検する必要が生じる場合もあって、機密保持やプライバシの点から問題となることも多い。
【０００７】
そこで、従来では送信者それぞれが自己の名前等の識別情報をファイルに付加することが推奨されていた。しかしながら、このように各自がファイルに識別情報を手作業で付加するようにすると、特許文献１で示したようなファイルの自動化が不可能になる。また、各人は画像情報の送信を行うたびに保存用のファイルに識別情報を付加する必要があるので、面倒である。また人為的な操作が加わるのでミスが発生したり、緊急時に対応することが困難である等により各自の識別情報を付加したファイルの作成を徹底することができないという問題があった。
【０００８】
そこで本発明の目的は、複数の者が１つの装置を共同で使用するような場合でも、送信者に特別の負担を強いることなく画像情報を送信者別に記憶して管理することのできる画像送信装置を提供することにある。
【０００９】
【課題を解決するための手段】
請求項１記載の発明では、（イ）画像情報を送信する画像情報送信手段と、（ロ）送信者のそれぞれに対応して送信の対象となる画像情報の格納領域を割り当てた画像情報記憶手段と、（ハ）画像情報送信手段によって画像情報を送信する者を識別する送信者識別手段と、（ニ）この送信者識別手段によって識別された送信者が画像情報を送信したときこの画像情報を画像情報記憶手段における該当する送信者の領域に格納する画像情報格納手段とを画像送信装置に具備させる。
【００１０】
すなわち請求項１記載の発明では、画像情報送信手段によって送信する画像情報について送信者ごとに画像情報の格納領域を割り当てるようにしている。そして、送信者識別手段が画像情報送信手段によって画像情報を送信する者を識別するようにし、画像情報格納手段が該当する送信者の領域にこれら画情報を格納するので、複数の者が１つの装置を共同で使用するような場合でも、送信者がファイルの名称を調整するといった手間を必要としない。
【００１１】
請求項２記載の発明では、（イ）画像情報を送信する画像情報送信手段と、（ロ）画像情報を記憶する画像情報記憶手段と、（ハ）画像情報送信手段によって画像情報を送信する者を識別する送信者識別手段と、（ニ）画像情報送信手段によって画像情報が送信されたときこの画像情報を格納するファイルのファイル名の少なくとも一部に送信者識別手段によって識別された識別情報を付加して画像情報記憶手段に格納する画像情報格納手段とを画像送信装置に具備させる。
【００１２】
すなわち請求項２記載の発明では、送信者識別手段が画像情報送信手段によって画像情報を送信する者を識別するようにし、画像情報送信手段によって画像情報が送信されたとき、画像情報格納手段がこの画像情報を格納するファイルのファイル名の少なくとも一部に送信者識別手段によって識別された識別情報を付加して画像情報記憶手段に格納するので、複数の者が１つの装置を共同で使用するような場合でも、送信者がファイルの名称を調整するといった手間を必要としない。
【００１３】
請求項３記載の発明では、（イ）原稿の画像情報を読み取る画像情報読取手段と、（ロ）送信者のそれぞれに対応して送信の対象となる画像情報の格納領域を割り当てた画像情報記憶手段と、（ハ）画像情報を送信する者を識別する送信者識別手段と、（ニ）この送信者識別手段によって識別された送信者が予め送信を許可されたものであるか否かを判別する送信許可判別手段と、（ホ）この送信許可判別手段によって送信を許可されたものであると判別されたとき画像情報読取手段によって読み取られた画像情報を送信する画像情報送信手段と、（へ）送信者識別手段によって識別された送信者が画像情報を送信したときこの画像情報を画像情報記憶手段における該当する送信者の領域に格納する画像情報格納手段とを画像送信装置に具備させる。
【００１４】
すなわち請求項３記載の発明では、原稿の画像情報を読み取る画像情報読取手段を備えた装置を扱っている。この装置では、画像情報記憶手段に送信者のそれぞれに対応して送信の対象となる画像情報の格納領域を割り当てており、送信者識別手段が画像情報を送信する者を識別すると、送信許可判別手段がその識別された送信者が予め送信を許可されたものであるか否かを判別する。そして、画像情報送信手段は送信を許可されたものであると判別された送信者の画像情報を送信する。画像情報格納手段は送信者が画像情報を送信したときこの画像情報を画像情報記憶手段における該当する送信者の領域に格納するので、複数の者が１つの装置を共同で使用するような場合でも、送信者がファイルの名称を調整するといった手間を必要としない。
【００１５】
請求項４記載の発明では、（イ）原稿の画像情報を読み取る画像情報読取手段と、（ロ）画像情報を記憶する画像情報記憶手段と、（ハ）画像情報を送信する者を識別する送信者識別手段と、（ニ）この送信者識別手段によって識別された送信者が予め送信を許可されたものであるか否かを判別する送信許可判別手段と、（ホ）この送信許可判別手段によって送信を許可されたものであると判別されたとき画像情報読取手段によって読み取られた画像情報を送信する画像情報送信手段と、（へ）この画像情報送信手段によって画像情報が送信されたときこの画像情報を格納するファイルのファイル名の少なくとも一部に送信者識別手段によって識別された識別情報を付加して画像情報記憶手段に格納する画像情報格納手段とを画像送信装置に具備させる。
【００１６】
すなわち請求項４記載の発明では、原稿の画像情報を読み取る画像情報読取手段を備えた装置を扱っている。この装置では、画像情報記憶手段に送信者のそれぞれに対応して送信の対象となる画像情報の格納領域を割り当てており、送信者識別手段が画像情報を送信する者を識別すると、送信許可判別手段がその識別された送信者が予め送信を許可されたものであるか否かを判別する。そして、画像情報送信手段は送信を許可されたものであると判別された送信者の画像情報を送信する。画像情報格納手段は、画像情報送信手段によって画像情報が送信されたときこの画像情報を格納するファイルのファイル名の少なくとも一部に送信者識別手段によって識別された識別情報を付加して画像情報記憶手段に格納するので、複数の者が１つの装置を共同で使用するような場合でも、送信者がファイルの名称を調整するといった手間を必要としない。
【００１７】
請求項５記載の発明では、請求項１〜請求項４いずれかに記載の画像送信装置で、送信者識別手段は指紋等の送信者の身体的特徴、送信者が所持する固有のカードあるいは送信者がログイン時に入力する固有の情報によって送信者を識別することを特徴としている。
【００１８】
すなわち請求項５記載の発明では、送信者識別手段は指紋等の送信者の身体的特徴、送信者が所持する固有のカードあるいは送信者がログイン時に入力する固有の情報によって送信者を識別するので、これらの識別手段を用意しておくことで送信者を識別することができるだけでなく、送信者が手作業でファイル名に自分の識別情報を付加する場合と異なり、人為的なミスが発生しない。
【００１９】
請求項６記載の発明では、請求項１〜請求項４いずれかに記載の画像送信装置で、画像情報格納手段は画像情報の一部を格納することを特徴としている。
【００２０】
すなわち請求項６記載の発明では、画像情報格納手段は画像情報の一部を格納することにしている。もちろん、送信した画像情報の全部を格納してもよいし、そうすることによって画像情報の再送が可能である。しかしながら、送信した画像情報の概要を知るだけで十分な場合もあり、そのような場合には画像情報を圧縮したり、動画における一部の画像情報のみを格納するようにしても良い。これにより、画像情報の記憶容量を減少させることができ、画像情報格納手段のコストダウンやより多くの送信回数に対応した画像情報の格納が可能になる。
【００２１】
【発明の実施の形態】
【００２２】
【実施例】
以下実施例につき本発明を詳細に説明する。
【００２３】
図１は実施例として本発明の画像送信装置がファクシミリ装置に適用された例を示したものである。このファクシミリ装置１０１は、装置本体１０２の上部傾斜面にテンキー等の各種キーを配置した操作部１０３と、それ自体の傾斜角度を調整することのできる比較的大型の液晶ディスプレイ１０４を備えている。また、装置本体１０２の図で左側部にはハンドセット１０５が着脱自在に配置されており、前面には、原稿の読み取りのためのハンドスキャナ１０６が挿抜自在に配置されている。更に装置本体１０２の後部には、図示しない原稿をセットしたり記録済みの用紙を排出するトレイ１０７が配置されている。操作部１０３における液晶ディスプレイ１０４の右下隅の近傍にはスタートボタン１０８が配置されている。また、操作部１０３における液晶ディスプレイ１０４の右側部の近くにはカード読み取り用のカードスロット１０９が配置されている。このカードスロット１０９には管理者が図示しない所定のカード（以下、管理カードという。）を挿入することでファクシミリ装置１０１を送信可能な状態に設定したり、一般の操作者の指紋登録を可能にするようになっている。なお、液晶ディスプレイ１０４はタッチパネルとなっていて入力装置を兼用してもよい。
【００２４】
図２はスタートボタンとその近傍を拡大して示したものである。スタートボタン１０８は周囲から多少盛り上がった形をしており、その上部中央に半導体式の指紋センサ１２１を配置している。ファクシミリ装置の操作者は、原稿の送信を行ったりコピーをとるときにこのスタートボタン１０８を使用する。このとき、右手の人差し指のように操作者が予め決められた指を指紋センサ１２１の上に置く。指紋センサ１２１が予め登録している者の指であることを検知すれば、スタートボタン１０８のすぐ横に配置されたインジケータ１２２がこの時点で点灯する。この点灯状態で、その指でスタートボタン１０８を押し下げれば原稿の送信が開始される。操作者がコピーをとるモードを選択しているときには同様の操作でコピーがとられる。また、ファクシミリ装置１０１を指紋登録モードに設定した状態で図１に示したカードスロット１０９に管理カードを挿入すると、指紋の登録が行われるようになっている。
【００２５】
図３は、図２に示した指紋センサの指紋判別原理を説明するためのものである。指紋センサ１２１は、硬質の保護膜１３０の下に多数の電極１３１をマトリックス状に配置した構造となっている。操作者の指１３２を保護膜１３０の上に押し付けると、指紋の凹凸によって電極１３１に指１３２の表面が近づいた箇所１３３と遠ざかった箇所１３４とが生じる。これに応じて保護膜１３０と電極１３１の間に蓄積する電荷の量が異なってくる。そこで、各電極１３１の電荷を順に放出させることで操作者の指１３２の指紋のパターンを検出することができる。
【００２６】
図４は、本実施例のファクシミリ装置の回路構成の要部を表わしたものである。このファクシミリ装置１０１は、ＣＰＵ（中央処理装置）１５１と、このＣＰＵ１５１が実行する制御プログラムを格納したＲＯＭ（リード・オンリ・メモリ）１５２と、作業用のメモリとしてのＲＡＭ（ランダム・アクセス・メモリ）１５３と、図１に示した操作部１０３を接続した入出力回路１５４と、液晶ディスプレイ１０４と接続した表示制御回路１５５と、ハンドスキャナ１０６と接続されたスキャナ制御回路１５６と、カードスロット１０９に接続されたカード読取制御回路１５７と、ファクシミリ通信を行うための回線１５８に接続された画像通信部１５９と、図示しない原稿給送機構等の機構を制御する機構制御部１６１と、画像情報を各送信者ごとに区別したファイルに格納して記憶する大容量記憶装置１６２とをデータバス等のバス１６５に接続している。大容量記憶装置１６２はたとえばハードディスクによって構成されているが、図示しないＵＳＢ（Ｕｎｉｖｅｒｓａｌ  Ｓｅｒｉａｌ  Ｂｕｓ）ポート等の外部接続手段を介して外部記憶装置がこのファクシミリ装置１０１に接続されるようになっていてもよい。
【００２７】
図５は、管理カードをファクシミリ装置に挿入した場合の処理の概要を表わしたものである。管理カードは図１に示したファクシミリ装置１０１の使用を管理する一人または複数の者が所持している。操作者が管理カードをカードスロット１０９に挿入すると（ステップＳ２０１：Ｙ）、図４に示したＣＰＵ１５１は入出力回路１５４を介してスタートボタン１０８が押されるか（ステップＳ２０２）、あるいは図示しない登録ボタンが押されるか（ステップＳ２０３）を監視する。スタートボタン１０８が押された場合には（ステップＳ２０２：Ｙ）、指紋の判別を行うことなく、そのスタートボタン１０８が押されたときの本来的な処理を実行する（ステップＳ２０４）。たとえば原稿の送信を行うときに管理カードがカードスロット１０９に挿入されていれば、従来のファクシミリ装置と同様にそのまま原稿の送信処理が開始される。また、コピーモードに設定されていれば、原稿のコピーの処理が開始されることになる。なお、この場合、原稿の送信その管理カードを所持する者が行ったものとされ、その者に割り当てられたフォルダに原稿の画像情報が記憶されることになる。
【００２８】
一方、管理カードがカードスロット１０９に挿入されている状態で登録ボタンが押された場合には（ステップＳ２０３：Ｙ）、管理者の管理の下で任意の者に対する本人登録処理が実行される（ステップＳ２０５）。なお、管理カードがカードスロット１０９に挿入されていない状態では、挿入を待機したり他の指示された作業が行われる（ステップＳ２０１：Ｎ）。
【００２９】
図６は、図５のステップＳ２０５で示した本人登録処理の概要を表わしたものである。本人登録処理ではまず図１に示した液晶ディスプレイ１０４に氏名の入力あるいは本人の識別情報（以下、単に識別情報という。）を入力する指示が表示され、操作者は操作部１０３を用いてその入力を行う（ステップＳ２２１）。入力されたデータは液晶ディスプレイ１０４に表示され、操作者がこれを登録する旨の指示（ＯＫ）を行うと（ステップＳ２２２：Ｙ）、次に液晶ディスプレイ１０４に指紋を登録するための指示が表示される。操作者はこの段階で登録対象の指をスタートボタン１０８の上に置いて指紋のパターンを読み取らせる（ステップＳ２２３）。
【００３０】
この後に再度指紋の確認入力が行われて指紋のパターンが正しく入力されたことが操作者によって確認されたら（ステップＳ２２４：Ｙ）、液晶ディスプレイ１０４にその指紋を本人の識別情報に対応付けて登録するかどうかの確認画面が表示される（ステップＳ２２５）。操作者が登録する旨の入力を行うとＣＰＵ１５１がこれを検出し（ステップＳ２２６：Ｙ）、本人の識別情報と指紋とを対応付けた登録が行われる（ステップＳ２２７）。そして、その本人の画像情報を格納するためのフォルダがその本人の識別情報をファイル名として作成される（ステップＳ２２８）。操作者は以上説明した登録処理を中止することもできる（ステップＳ２２９：Ｙ）。
【００３１】
図７は、このファクシミリで原稿を送信する場合の処理の流れの概要を表わしたものである。操作者が原稿をセットしたり宛先の電話番号を入力する等の送信のための操作を行うと（ステップＳ２４１）、図４に示したＣＰＵ１５１はカードスロット１０９に管理カードが挿入されているかどうかをチェックして（ステップＳ２４２）、挿入されていない場合には（Ｎ）、入出力回路１５４を介して指紋センサ１２１の入力を監視して、入力結果としての指紋のパターンが所定の時間ｔ内にいずれかの登録者の指紋のパターンと一致するかを判別する（ステップＳ２４３、Ｓ２４４）。一致が検出された場合には（ステップＳ２４３：Ｙ）、インジケータ１２２が点灯し（ステップＳ２４５）、操作者がこの状態でスタートボタン１０８を押下することで（ステップＳ２４６：Ｙ）、原稿の画像の読み込みが実行される（ステップＳ２４７）。読み込まれた画像は相手先に送信される（ステップＳ２４８）。ＣＰＵ１５１は画像の送信を終了した段階でその操作者の識別情報に割り当てられたファイルに送信した画像情報を格納して（ステップＳ２４９）、一連の処理を終了させる（エンド）。
【００３２】
一方、操作者が指の位置を調整する等の試みを行ったにも係わらず時間ｔ以内にその指紋のパターンが登録者のいずれのパターンとも一致しなかった場合には（ステップＳ２４４：Ｙ）、液晶ディスプレイ１０４に所定のエラー表示が行われ（ステップＳ２５０）、送信が行われることなく処理が終了する。
【００３３】
また、ステップＳ２４２でカードスロット１０９に管理カードが挿入されていることが判別された場合には（Ｙ）、指紋のパターン照合が行われることなく直ちに画像の読み込みが行われる（ステップＳ２４７）。この場合には画像の送信が行われた後（ステップＳ２４８）、その管理カードに対応するファイルに送信済みの画像情報が格納されることになる（ステップＳ２４９）。
【００３４】
以上説明したように、本実施例では事前に指紋のパターンを登録した者あるいは管理カードを所有する者は、原稿を送信することができ、この場合にはその者に割り当てられたファイルに送信済みの画像情報が記憶されることになる。したがって、管理者の承認を得ていない者はこの実施例のファクシミリ装置１０１を使用して画像情報を送信することができない。また、送信した画像情報はそれぞれ送信者のファイルに格納されるので、各自が自分の送信した画像情報を簡単に利用することができる。したがって、送信者の識別情報をキーとして送信済みの画像情報を分類したり特定の送信者の画像情報のみを取り出したり、他の検索用のキーを併用して検索を行うことが可能になる。また、管理者がそれぞれのファイルに対するアクセス条件を設定しておけば、たとえば下位のアクセス権限を有する者が上位のアクセス権限を有する者のファイルのアクセスを禁止するといった制限を設けることができる。
【００３５】
以上説明した実施例では、ファクシミリ装置で原稿の画像情報を送信する場合について説明したが、原稿の画像情報をコピーする場合も同様である。また、実施例では原稿をスキャナで読み込んで送信する場合について説明したが、これに限るものではない。たとえばコンピュータに所定のアプリケーションソフトウェアをインストールした画像送信装置のように画像情報をデジタルカメラ等の画像入力装置で入力したものを送信するようなものであってもよい。また、他の装置からインターネット等の通信網を使用して送られてきたものを他の装置に転送する場合にも本発明を同様に適用することができる。
【００３６】
また、実施例では指紋のパターンを照合したり、一種のＩＤ（Ｉｄｅｎｔｉｆｉｃａｔｉｏｎ）カードを使用して送信者と送信済みの画像情報の対応付けを行ったが、画像送信装置の前にいる操作者の外観や発声等の他の特徴を利用して操作者を特定してその者と画像情報を対応付けて装置の記憶領域に格納するものであってもよい。
【００３７】
更に実施例では操作者の識別を画像情報の送信時に行うようにしたが、送信の操作に先立って行うようにしてもよい。また、実施例では操作者の特定後に画像情報の読み込みを行ったが送信操作や操作者の特定前に画像情報の読み込みを行ってもよいことはもちろんである。
【００３８】
また、実施例では画像送信装置がファクシミリ装置である場合を例に挙げて説明したが、画像の送信を行ったり送信した画像情報を格納するあらゆる装置に対して本発明を適用することができることは当然である。更に実施例では送信した画像情報そのものを大容量記憶装置に格納するようにしたが、格納後の画像情報の利用によっては圧縮した画像を格納するようにしてもよい。また、送信した画像情報が動画のように画像情報が時間的に連続するものについては、用途によって単に圧縮するだけでなくタイトルの画像等のようにその一部のみを格納するものであってもよい。これにより、格納に必要な領域を節約することができる。
【００３９】
更に実施例では指紋や所定のカードによって画像情報の送信者の的確性や保存する画像情報の格納ファイルを特定することにしたが、パーソナルコンピュータやその他の画像送信装置にログインするときのログイン処理で操作者が入力するユーザアカウント（ＩＤ）やパスワードによって操作者あるいは画像情報の送信者を判別するものであってもよい。
【００４０】
また、実施例では画像情報の送信時の操作者あるいは送信者に対応したフォルダを作成してこれらに画像情報あるいは画像情報を収容したファイルを格納することにしたが、それぞれのファイルの名称の少なくとも一部にこれら画像情報の送信時の操作者あるいは送信者の名前等の識別情報を付けるようにしてもよい。これによってもそれぞれの操作者あるいは送信者の画像情報を簡単に検索することができる。
【００４１】
【発明の効果】
以上説明したように請求項１記載の発明によれば、画像情報格納手段が該当する送信者の領域にこれら画情報を格納するので、複数の者が１つの装置を共同で使用するような場合でも、送信者がファイルの名称を調整するといった手間を必要とせず、人為的なミスの発生を防止することができる。また、画像情報と送信者の対応関係が明確になるので、送信すべきでない宛先に画像情報を故意に送信するといった不正な画像情報の送信操作を間接的に防止させることができる。
【００４２】
また請求項２記載の発明によれば、ファイル格納手段が画像情報を格納するファイル名の少なくとも一部に送信者識別手段によって識別された識別情報を付加して画像情報記憶手段に格納するので、複数の者が１つの装置を共同で使用するような場合でも、送信者がファイルの名称を調整するといった手間を必要とせず、人為的なミスの発生を防止することができる。また、画像情報と送信者の対応関係が明確になるので、送信すべきでない宛先に画像情報を故意に送信するといった不正な画像情報の送信操作を間接的に防止させることができる。
【００４３】
更に請求項３記載の発明によれば、送信者識別手段によって識別された送信者が予め送信を許可されたものであるか否かを送信許可判別手段が判別し、送信許可判別手段によって送信を許可されたものであると判別されたときに画像情報読取手段によって読み取られた画像情報を送信することにしているので、請求項１記載の発明と同様の効果を得ることができる他、予め送信を許可された者以外による画像情報の送信を防止することができ、情報の漏洩を有効に防止することができる。
【００４４】
また請求項４記載の発明によれば、送信者識別手段によって識別された送信者が予め送信を許可されたものであるか否かを送信許可判別手段が判別し、送信許可判別手段によって送信を許可されたものであると判別されたときに画像情報読取手段によって読み取られた画像情報を送信することにしているので、請求項２記載の発明と同様の効果を得ることができる他、予め送信を許可された者以外による画像情報の送信を防止することができ、情報の漏洩を有効に防止することができる。
【００４５】
更に請求項５記載の発明によれば、送信者識別手段は指紋等の送信者の身体的特徴、送信者が所持する固有のカードあるいは送信者がログイン時に入力する固有の情報によって送信者を識別するので、これらの識別手段を用意しておくことで送信者を識別することができるだけでなく、送信者が手作業でファイル名に自分の識別情報を付加する場合と異なり、人為的なミスが発生しない。
【００４６】
また請求項６記載の発明によれば、画像情報を圧縮したり、動画における一部の画像情報のみを画像情報格納手段に格納することができるので、画像情報の記憶容量を減少させることができ、画像情報格納手段のコストダウンやより多くの送信回数に対応した画像情報の格納が可能になる。
【図面の簡単な説明】
【図１】本発明の一実施例における画像送信装置としてのファクシミリ装置の外観を示す斜視図である。
【図２】本実施例でスタートボタンとその近傍を拡大して示した斜視図である。
【図３】図２に示した指紋センサの要部断面図である。
【図４】本実施例のファクシミリ装置の回路構成の要部を表わしたブロック図である。
【図５】本実施例で管理カードをファクシミリ装置に挿入した場合の処理の概要を表わした流れ図である。
【図６】図５のステップＳ２０５で示した本人登録処理の概要を表わした流れ図である。
【図７】本実施例のファクシミリで原稿を送信する場合の処理の流れの概要を表わした流れ図である。
【符号の説明】
１０１  ファクシミリ装置（画像送信装置）
１０３  操作部
１０８  スタートボタン
１０９  カードスロット
１２１  指紋センサ
１５１  ＣＰＵ
１５２  ＲＯＭ
１５９  画像通信部
１６２  大容量記憶装置
【図１】
2004282144.tif 000003
【図２】
2004282144.tif 000004
【図３】
2004282144.tif 000005
【図４】
2004282144.tif 000006
【図５】
2004282144.tif 000007
【図６】
2004282144.tif 000008
【図７】
2004282144.tif 000009